(57)【要約】【課題】電線等の被結束物を複数集合させ、その電線等の束の周囲に結束体を配設して電線類の束を引締めて結束することができ、その場合、過度の力で引き締めても、電線を傷めることなく、力を加減しながら結束体を引き締めて結束しても、被結束物相互の結束が緩むことなく結束できる結束具を提供するものである。【解決手段】電線類４の束４ａの周囲に配設する為の紐状の結束体１と、結束体１の元部１２に対して連繋してあって結束体１の先部１１を着脱自在に止着できるようにしてある止具２とを備え、結束体１における結束部本体１０の一部には弾性部２１を備えさせ、結束体１を電線類の束４ａの周囲に配設して結束した状態では結束体１が長手方向に引き張られ、結束体１に対しては弾力的な収縮力が及ぶようにしてある。【選択図】    図１
2007238126.tif 000002
【特許請求の範囲】
【請求項１】
電線類の束の周囲に配設して電線類の束を締付けて結束する為に用いる紐状の結束体と、
上記結束体の元部に対して連繋してあって上記結束体の先部を着脱自在に止着できるようにしてある止具とを備え、
上記電線類の束の周囲に配設する上記結束体の先部側を上記止具に設けられた孔に挿通して上記電線類の束を締付けて結束できるようにしてある結束具において、
上記結束体における結束部本体の一部には弾性部を備えさせ、結束体を上記電線類の束の周囲に配設して結束した状態では上記結束体が長手方向に引き張られ、結束体に対しては弾力的な収縮力が及ぶようにしたことを特徴とする結束具。
【請求項２】
上記結束体における結束部本体の一部又は全体に備えさせる弾性部は、結束体の内外面の方向に向けて山谷が形成されるような蛇行形状にし、結束体を上記電線類の束の周囲に配設して結束した状態では上記弾性部における山谷の蛇行形状の部分が弾性変形して電線類の束の周囲に馴染むようにしてあることを特徴とする請求項１記載の結束具。
【請求項３】
上記弾性部は、結束体における結束部本体の長手方向に間隔を隔てて複数カ所に形成してあり、各弾性部の構成は、中心部に透孔を形成し、その透孔の幅方向の両側には、夫々両端が前後の紐状部に連繋されている張出状の弾力性部材を備えさせ、
結束体が長手方向に引っ張られると、上記張出状の弾力性部材が伸長することにより弾性変形して、結束体に対しては弾力的な収縮力が及ぶようにしたことを特徴とする請求項１記載の結束具。
【請求項４】
上記結束体における結束部本体に備えさせる弾性部は、結束体の内外面の方向に向けて山谷が形成されるような蛇行形状にし、結束体を上記電線類の束の周囲に配設して結束した状態では上記弾性部における山谷の蛇行形状の部分が弾性変形して電線類の束の周囲に馴染むようにしてあると共に、上記弾性部における山部を止具における係合体に引っかけて係止するようにしてあることを特徴とする請求項１記載の結束具。
【発明の詳細な説明】
【技術分野】
【０００１】
本発明は、電線等の被結束物を複数集合させて結束する場合に用いることのできる結束具に関する。
【背景技術】
【０００２】
図７に示されている従来の結束具は、頭部のバックル部（止具ともいう）とこのバックル部に基部を接し外方に延出するバンド部（結束体ともいう）とを合成樹脂等の可撓性材料を用いて一体材でもって形成されている。バックル部には長手方向にバンドを案内するための挿通溝（孔ともいう）と、基部をバックル部の側壁に固定して長手方向に延出する復数枚の鋸歯を備えた係止爪が形成されている。バックル部には被締結物の形状によって適用するためのバンドの補助挿通孔が設けられている。またバックル部には天板部が長手方向に拡がる空隙が設けられている。バンド部にはバンドに形成した複数枚の鋸歯が形成されている。
上記結束具は、電線類の束の周囲にバンド部を配設し、バンド部の先部側をバックル部に設けられた孔に挿通して上記電線類の束を締付けて結束することができる（例えば、特許文献１参照）。
【０００３】
【特許文献１】特開平９−２５２０号公報（図１，図５）
【発明の開示】
【発明が解決しようとする課題】
【０００４】
この従来の結束具では、電線等の被結束物を複数集合させ、その電線等の束の周囲にバンド部（結束体）を配設して電線類の束を引き締めて結束する場合、力が入り過ぎると結束体が電線の外被に食い込み電線を傷める問題点があった。
一方、力を加減しながら結束体を引き締めると、経時後、被結束物に加わる振動により、電線等の被結束物相互間に残されていた間隙が縮まり、被結束物の外周と、その外周に巻き付けてあった結束体との間に緩みが生じ、被結束物が脱落する問題点が発生していた。
【０００５】
本件出願の目的は、電線等の被結束物を複数集合させ、その電線等の束の周囲に結束体を配設して電線類の束を引締めて結束することができる結束具を提供しようとするものである。
他の目的は、電線類の束を引締めて結束する場合、過度の力で引き締めても、電線を傷めることなく被結束物を結束できる結束具を提供しようとするものである。
他の目的は、力を加減しながら結束体を引き締めて結束した後、振動が被結束物に加わった場合でも、被結束物相互の結束が緩んで被結束物が脱落することなく安定して結束できる結束具を提供しようとするものである。
他の目的及び利点は図面及びそれに関連した以下の説明により容易に明らかになるであろう。
【課題を解決するための手段】
【０００６】
本願発明における結束具Ａは、電線類４の束４ａの周囲に配設して電線類の束４ａを締付けて結束する為に用いる紐状の結束体１と、上記結束体１の元部１２に対して連繋してあって上記結束体１の先部１１を着脱自在に止着できるようにしてある止具２とを備え、上記電線類の束４ａの周囲に配設する上記結束体１の先部側１１を上記止具２に設けられた孔２７に挿通して上記電線類の束４ａを締付けて結束できるようにしてある結束具Ａにおいて、上記結束体１における結束部本体１０の一部には弾性部２１を備えさせ、結束体１を上記電線類の束４ａの周囲に配設して結束した状態では上記結束体１が長手方向に引き張られ、結束体１に対しては弾力的な収縮力が及ぶようにしたものである。
【０００７】
また好ましくは、結束体１における結束部本体１０の一部又は全体に備えさせる弾性部２１は、結束体１の内外面１８、１４の方向に向けて山谷２２、２３が形成されるような蛇行形状にし、結束体１を上記電線類４の束４ａの周囲に配設して結束した状態では上記弾性部２１における山谷２２、２３の蛇行形状の部分が弾性変形して電線類の束４ａの周囲に馴染むようにしてあるものであればよい。
【０００８】
また好ましくは、弾性部21gは、結束体１における結束部本体１０の長手方向に間隔を隔てて複数カ所に形成してあり、各弾性部21ｇの構成は、中心部に透孔２４を形成し、その透孔２４の幅方向の両側には、 夫々両端が前後の紐状部20ｇに連繋されている張出状の弾力性部材25を備えさせ、結束体１が長手方向に引っ張られると、上記張出状の弾力性部材２５が伸長することにより弾性変形して、結束体１に対しては弾力的な収縮力が及ぶようにしたものであればよい。
【０００９】
また好ましくは、結束体１ｆにおける結束部本体10ｆに備えさせる弾性部21ｆは、結束体１ｆの内外面18ｆ、14ｆの方向に向けて山谷22ｆ、23ｆが形成されるような蛇行形状にし、結束体１ｆを上記電線類４の束４ａの周囲に配設して結束した状態では上記弾性部21ｆにおける山谷22ｆ、23ｆの蛇行形状の部分が弾性変形して電線類の束４ａの周囲に馴染むようにしてあると共に、上記弾性部21ｆにおける山部22ｆを止具２における係合体28ｆに引っかけて係止するようにしてあるものであればよい。
【発明の効果】
【００１０】
以上のように本願発明は、電線等の被結束物を複数集合させ、それらを結束する場合、それら電線等の束の周囲に結束体を配設して引き締めて電線類の束を結束できる特長がある。
その際、過激な力で引き締め、過度の力を結束体に与えた場合でも、
弾性体が弾力的に変形し、電線類の束の周囲に対する引き締め力はソフトで柔らかい力で引き締めるので、電線の被覆を傷めたり、内部の導体を傷めたりすることなく、安全に締付けできる安全上の効果がある。
【００１１】
さらに本願発明は、力を加減しながら、複数の被結束物を引き締めて結束した後、振動が被結束物に加わった場合であっても、
弾性部が弾力的に変形し、結束体に対して長手方向に弾力的な引張力を付与し、結束体が電線類の束の外周の形状変化に追従するので、電線類の束の周囲と巻付けた結束体との間に緩みを生じさせることなく、電線類の束から電線が抜け出すこと防止して電線類の結束を維持できる使用上の効果がある。
【００１２】
さらに本願発明は、弾力部を結束体の内外面の方向に向けて山谷が形成されるような蛇行形状にした場合にあっては、結束具を設計する際、弾力部の山谷の数を或いは多さを増減することにより、結束部の弾性力、伸長寸法を変えることができるので、山谷の数を増減するのみで多様な被結束物の束の外周の大きさに対応することができ、様々な要望に対応する商品を提供することができる効果がある。
【発明を実施するための最良の形態】
【００１３】
以下本願発明の実施の形態を図面を用いて説明する。
結束具Ａにおいて、１は複数の電線類４からなる束4aの周囲に対して図２に示すように配設して電線類４の束4aを締付けて結束する為に用いる紐状の結束体、２は上記結束体１の元部12に対して上記結束体１の先部11を図２に示されるように着脱自在に連繋させる為の止具を示す。
結束体１において、１０は結束部本体を示し、電気的絶縁性を有し、かつ、弾力性を備える合成樹脂材料、例えばプラスチック樹脂で形成されている。その外形の形態は紐状であって、断面形状は矩形でも楕円でも、丸形等任意の形状であればよい。さらに、結束部本体１０の弾力性は、任意の強さに設定すればよく、その肉厚によって強さを調節するようにしてもよい。
この結束部本体10の一端には、先細り状態に形成されている先部11を備え、後述する挿通空間２７に挿通し易いようにしてある。また元部12は、別体形成の止具２における枠部26に対して任意の接着手段で一体的に連結してある。
【００１４】
結束部本体10には、電線類４の束4aを締付ける役割を有する紐状部20と、電線類４の束4aを締付けると共に結束部本体10に対して長手方向に向けての伸長と、長手方向に向けての弾力性を発揮させる役割を有する弾性部21を備えている。
紐状部20の外周面14には、後述の係合体２８における係合先２９を噛み合せる為の多数の噛合突片１５が列設されている。１６は多数の噛合突片15の両側に一体的に形成されているガード部を示し、噛合突片15が係合先２９との係合状態を維持するのを補助する為のものである。紐状部20の内周側１８には、被結束物を結束した状態で被結束物４と接し、両者の相対的な滑りをとめる為の滑止突片１９が多数列設されている。
【００１５】
結束部本体10の一部に備えられている弾性部２１は、結束部本体10の内外面１８、１４の方向に向けて山谷が形成されるような蛇行形状にしてある。弾性部２１における山２２及び谷２３の数は、図１に示されるように３個ずつ形成してもよいが、必要に応じて任意の数に形成すればよく、例えば、被結束物の束の外周の長さに応じて図３から明らかなように数を増減してもよい。
【００１６】
次に止具２において、２６は枠部を示し、結束体１における先部１１を挿通する為の挿通空間２７が形成されている。挿通空間２７の幅寸法は、紐状部２０を挿通でき、かつ、ガード部１６の両側面を安定して案内するような寸法に形成してある。２８は、紐状部20における噛合突片１５を係止する為の係合体を示し、枠部２６に一体的に形成されている。係合体２８は、常時は34ａ方向に付勢されており、紐状部２０が矢印35ａ方向へ進行する際は矢印34ｂ方向へ弾力的に撓んで、紐状部２０の進行を許すように形成してある。２９は係合体２８における係合先を示し、噛合突片15と噛み合って紐状部20の矢印35ｂ方向への進行を阻止するように形成してある。３０は、係合体２８における操作片を示し、指で矢印34ｂ方向へ押し上げ操作できるように枠部２６より外側に位置するようにしてある。この操作片３０の突出寸法は、作業者の指先で操作できるような寸法の反面、他の物が触れて不必要に操作片を動作させることがないような短い寸法にするとよい。３１は、係合体２８が矢印３４方向へ動作する為の逃部を示す。
【００１７】
上記構成のものについて使用状態を説明する。
最近の建築物においては電気設備が多彩に配置される関係から、隠れた場所、例えば天井裏などにおいては蜘蛛の巣のごとく電気配線が行われる。しかし配線を放置しておくと危険な為、要所要所において配線されている複数の電線を束にして電線束を作る必要がある。
その場合、図２に示されるように多数の電線を寄せ集め、その周囲を図１に示される結束具Ａにおける結束体１で取り囲み、止具２における挿通空間27に結束体１の先部11を差し通し、先部11を矢印35ａ方向に引き抜く。すると、列設してある噛合突片15、15・・等は係合体２８の係合先２９を矢印34b方向へ押し上げて、図２に示されるように進行し、電線束4aを締め付ける。尚係合先２９は結束体１の進行が止まると、矢印34a方向へ戻り、噛合突片15に噛み合って結束体１が矢印35b方向へ戻るのを阻止する。
この状態では結束部10の１部分に形成してある蛇行形状の弾性部21における山部22と谷部23は夫々山谷の起伏が小さくなるように弾力的に変形し、かつ伸長して電線類の束4aの周囲の凹凸に馴染み、噛み合い状態となって長手方向への移動（位置ずれ）は阻止される。
更に、上記蛇行形状の弾性部21における山部22と谷部23の弾力的な変形は、結束体１の全体に対して長手方向の弾力的な引張力を付与し、電線類の束4aの周囲外周と、その外周に巻き付けた結束体１との間に緩みを生じさせる恐れを無くし、電線類の束4aから電線が抜け出すこと防止する。
また電線類の束4aの周囲に対する引き締め力はソフトで柔らかい力で引き締める。従って前記締め付け作業において先部11を矢印35a方向に過激な力で引き、過度の力を結束体１に与えた場合においても、電線４の被覆を傷めたり、内部の導体を傷めたりすることはなく安全な締め付け操作ができる効果がある。
【００１８】
次に、結束具Ａの結束を解除する場合の作業を説明する。
作業者の指先等を止具２における操作片３０に当てて、矢印34ｂ方向へ係合体２８を動かす。すると、係合先２９と噛合突片との噛み合いが外れるので、挿通空間27に挿通してあった結束体１を矢印35ｂ方向に引き抜き、結束を解除することができる。結束具Ａを再利用することができる。
なお、図２において、被結束物としての電線類としては被覆電線を例示したが、電線類としては紐、管、電線、ワイヤー等を対象とするものであってもよい。
【００１９】
次に、図１、図２の結束具Ａとは、結束体における弾性部を結束部本体の全域に備えた構成及び止具における係合体の構成の点において異なる例を示す図３について説明する。なお、図３において前述の図１、図２のものと機能、性質又は特徴等が同一又は均等構成と考えられる部分には、前述の図１、図２と同一の符号にアルファベットのｆを付して重複する説明を省略する。（また次図以降のものにおいても順次同様の考えで、前述の図１、図２と同一の符号にアルファベットのｇ、ｈ、ｊを順に付して重複する説明を省略する。）
21ｆは、結束体1ｆにおける先部11ｆと元部12ｆの間に備えられている紐状部20ｆを兼ねる弾性部を示し、被結束物の束を締付けると共に結束部本体10ｆに対して長手方向に向けての伸長と、長手方向に向けての弾力性を発揮させる役割を有している。弾性部21ｆは、結束部本体10ｆの外周面14ｆ側、内周面18ｆ側夫々の方向に向けて山22ｆと谷23ｆとが交互に形成されるような蛇行形状にしてある。
15ｆは、弾性部21ｆの外周面14ｆに列設されている噛合突片を示し、上記弾性部21ｆを形成する為の山22ｆと谷23ｆを利用して止具２ｆにおける係合体28ｆの係合先29ｆと係合する役割を果たすようにしてある。
19ｆは、被結束物を結束した状態で被結束物と接して両者の相対的な滑りを防止する為の滑止突片を示し、図示の如く結束部本体10ｆの内周側18ｆの山部に多数列設されている。
【００２０】
次に止具２において、28ｆは紐状部20ｆにおける噛合突片15ｆを係止する為の係合体を示し、枠部26ｆに一体的に形成されている。係合体28ｆは、常時は34ａ方向に付勢されており、紐状部20ｆが矢印35af方向へ進行する際は矢印34ｂ方向へ弾力的に撓んで、紐状部20ｆの進行を許すように形成してある。
【００２１】
上記構成のものについて使用状態を説明する。図１，図２を用いて上述したと同様に、寄せ集めた多数の電線の周囲を結束具Ａにおける結束体１ｆで取り囲み、止具２ｆにおける挿通空間27ｆに向けて結束体１ｆの先部11ｆを矢印35af方向へ差し通し、先部11ｆを引き抜くとよい。すると、噛合突片15ｆ、15ｆ・・等は係合体28ｆの係合先29ｆを矢印34ｂ方向へ押し上げて進行し、電線束を締め付ける。係合先29ｆは、結束体１ｆの進行が止まると矢印34ａ方向へ戻り、噛合突片15ｆに係合して結束体１ｆが矢印35bf方向へ戻るのを阻止する。このようにして電線類の束を結束することができる。
この状態では結束部10ｆの元部12ｆから先部11ｆに亘って形成してある蛇行形状の弾性部21ｆにおける山部22ｆと谷部23ｆは、夫々山谷の起伏が小さくなるように弾力的に変形し、かつ伸長して電線類の束の全周に亘って、その周囲の凹凸に馴染み、噛み合い状態となって長手方向への移動（位置ずれ）は阻止される。
次に、結束具Ａの結束を解除する場合について説明する。棒状の物、例えばドライバの先で止具２における係合体28ｆを矢印35af方向へ押して、係合先29ｆを矢印34bf方向へ動かす。すると、係合先29ｆと噛合突片15ｆとの係合が外れ、結束体１ｆを止具２ｆから引き抜き、結束を解除することができる。
【００２２】
次に、図１及び図２の結束具とは弾性部の構成及び配置位置の点において異なる例を示す図４について説明する。
紐状部20ｇの外周面14ｇには、止具２ｇにおける係合体28ｇの係合先29ｇを噛み合わせる為の多数の噛合突片15ｇが列設されている。紐状部20ｇの内周側18ｇには、被結束物を結束した状態で被結束物と接して両者の相対的な滑りを止める為の滑止突片19ｇが図４（Ｄ）の如く多数点在して形成されている。
次に、結束部本体10ｇの一部に備えられている弾性部21ｇは、図示の如く結束体１ｇの長手方向に間隔を隔てて複数カ所に形成してある。各弾性部21ｇの構成は、中心部に透孔24を形成し、その透孔24の幅方向の両側には、両端が図示のように紐状部20ｇに一体材で連繋されている弾力性部材25を張出状に形成してある。
弾力性部材25は、その復帰力（弾性力）が残される範囲で長手方向に倍近く引き延ばされて弾力的に変形するようにしてある。
弾性部21ｇは、結束体１ｇが長手方向に引っ張られると、張出状の弾力性部材25が変形して伸長（図４（Ａ）に示される巾寸法W1から図４（Ｃ）に示される巾寸法W2に伸長）することにより弾性変形し、結束体１ｆの全体に対して長手方向の弾力的な引張力を付与するようにしてある。
【００２３】
上記構成のものについて使用状態を説明する。図１，図２を用いて上述したと同様に、寄せ集めた多数の電線の周囲を結束具Ａにおける結束体１ｇで取り囲み、止具２ｇにおける挿通空間27ｇに結束体１ｇの先部11ｇを矢印35ag方向に差し通し、矢印35ag方向に引き抜くとよい。
すると、弾性部21ｇにおける弾力性部材25は、枠部材26ｇの内面26ａによって、結束体１ｇの中心方向（幅寸法を小さくする方向）に弾力的に変形してがら矢印35ag方向へ進行する。さらに、噛合突片15ｇ、15ｇ・・等は係合体28ｇの係合先29ｇを矢印34ｂ方向へ弾力的に押し上げて進行する。図１，図２を用いて説明したように係合先29ｇは結束体１ｇの進行が止まると、噛合突片15ｇに係合して、結束体１ｇが矢印35bg方向へ戻るのを阻止する。
【００２４】
この状態では、結束部10ｇの数カ所に形成してある弾性部21ｇにおける弾力性部材25は、夫々、図４（Ｃ）の如く、張出量が小さくなるように（弾力性部材25が伸長するように）弾力的に変形し、伸長する。これにより、結束体１ｇの全体に対して長手方向の弾力的な引張力を付与し、電線類の束4aの周囲外周と、その外周に巻き付けた結束体１ｇとの間に緩みを生じさせる恐れを無くし、電線類の束4aから電線が抜け出すこと防止する。
また電線類の束4aの周囲に対する引き締め力はソフトで柔らかい力で引き締める。従って前記締め付け作業において先部11ｇを矢印35ag方向に過激な力で引き、過度の力を結束体１ｇに与えた場合においても、電線の被覆を傷めたり、内部の導体を傷めたりすることはなく安全な締め付け操作ができる。
さらに、結束具Ａを設計する際、弾力部21ｇの弾力性部材25の数或いは張出量を増減することにより、結束部の弾性力、伸長寸法を変えることができるので、弾力性部材25の数等を増減するのみで多様な被結束物の束の外周の大きさに対応することができ、様々な要望に対応することができる。
【００２５】
次に、図４の結束具Ａとは結束部本体における滑止突片の構成の点において異なる例を示す図５について説明する。
図において19ｈは、被結束物を結束した状態で被結束物と接して両者の相対的な滑りをとめる為の滑止突片を示し、図示の如く紐状部20ｈの内周面18ｈに一体的に凹凸の斜め交錯線状に設けられている。
【００２６】
次に、図４及び図５の結束具Ａとは結束部本体における滑止突片の点において異なる例を示す図６について説明する。
図において、19ｊは、被結束物を結束した状態で被結束物と接して両者の相対的な滑りをとめる為の滑止突片を示し、図示の如く紐状部20ｊの内周面18ｊに一体的に列設されている。
なお、前述したように、結束部Ａの材料が合成樹脂材料のものを説明したが、被結束物が紐、管、ワイヤー等である場合は、薄バネ板材のような弾力性を備える金属材を用いて形成してもよい。
【図面の簡単な説明】
【００２７】
【図１】結束具を説明する為の斜視図。
【図２】被結束物としての電線の束を結束した状態を説明する為の図で、一部破断して示した図。
【図３】（Ａ）は図１とは異なる結束具の例を説明する為の一部破断図、（Ｂ）は（Ａ）におけるIII−III線断面の拡大図。
【図４】（Ａ）は図１とは異なる結束具の例を説明する為の図、（Ｂ）は（Ａ）におけるＩＶ−ＩＶ線断面図、（Ｃ）は（Ａ）に示される結束体が長手方向に引っ張られた状態を説明するための図、（Ｄ）は（Ａ）に示される結束体の内周側を示す図。
【図５】（Ａ）は図４とは異なる滑止突片を説明する為の図、（Ｂ）は（Ａ）におけるV−V線断面の拡大図。
【図６】（Ａ）は図４とは異なる滑止突片を説明する為の図、（Ｂ）は（Ａ）におけるVI−VI線断面の拡大図。
【図７】従来の結束具の例を示す図。
【符号の説明】
【００２８】
１・・・結束体、２・・・止具、４・・・電線類、４ａ・・・束、１０・・・結束部本体、１１・・・先部、１２・・・元部、１４・・・外周面、１５・・・噛合突片、１６・・・ガード部、１８・・・内周面、１９・・・滑止突片、２１・・・弾性部、２１ｆ・・・弾性部、２１ｇ・・・弾性部、２２・・・山、２３・・・谷、２４・・・透孔、２５・・・弾力性部材、２６・・・枠部、２７・・・挿通空間、２８・・・係合体、２９・・・係合先、３０・・・操作片、３１・・・逃部
【図１】
2007238126.tif 000003
【図２】
2007238126.tif 000004
【図３】
2007238126.tif 000005
【図４】
2007238126.tif 000006
【図５】
2007238126.tif 000007
【図６】
2007238126.tif 000008
【図７】
2007238126.tif 000009